(57)【特許請求の範囲】
【請求項１】
眼科用の検査装置が載置される第１のテーブルと、
該第１のテーブルを水平方向にスライド可能にするスライド部材と、
該スライド部材が設けられた第２のテーブルと、
該第２のテーブルに連結され、該第２のテーブルを上下方向に移動可能にする昇降部材とを具備し、
前記スライド部材は、ガイドレール、および該ガイドレールに嵌合して該ガイドレールに沿ってスライドする支持部材を含み、
前記第１のテーブルの下面からガイドレールをなくし、被験者がガイドレールに触れてしまわないようにするために、前記ガイドレールを、前記第２のテーブルの下方に設け、
前記支持部材は、前記ガイドレールの断面形状に合わせた形状であって前記ガイドレールに嵌合する嵌合部と、支持部とを有し、支持部は、前記嵌合部と接続し、断面がコの字形状もしくはＬ字形状であって、前記第２のテーブルの側面を渡り、前記第２のテーブルの上面よりも上方に突き出した形状であり、スライドして引き出された前記第１のテーブルの下方には、前記ガイドレールに嵌合している箇所を除いて、前記支持部材がなく、前記第１のテーブルと前記第２のテーブルとの間に隙間を有しながら前記第１のテーブルが前記支持部材により支持されていることを特徴とする眼科医療用テーブル。
【請求項２】
前記ガイドレールは、前記第２のテーブルの長手方向に平行な方向に設けられていることを特徴とする請求項１に記載の眼科医療用テーブル。
【請求項３】
前記第１のテーブルは、スライドして引き出される側と反対側の端部において、前記スライド部材によって支持されていることを特徴とする請求項１又は請求項２記載の眼科医療用テーブル。
【請求項４】
前記第２のテーブルに、眼科用の検査装置から得られる情報もしくは映像が表示可能な表示装置が設置される表示装置用設置器具が設けられていることを特徴とする請求項１から請求項３のいずれか一項に記載の眼科医療用テーブル。
【請求項５】
前記スライド部材は、モータ駆動機構を有することを特徴とする請求項１から請求項４のいずれか一項に記載の眼科医療用テーブル。
【発明の詳細な説明】
【技術分野】
【０００１】
本発明は、眼科用の検査装置などを置いたテーブルをスライドさせて使用する眼科医療用テーブルに関する。
【背景技術】
【０００２】
スリットランプマイクロスコープをはじめとする眼科用の検査装置を用いて被検者の診察や検査を行うときに、被検者が座った位置でそのまま診察や検査が受けられるようにするため、眼科用の検査装置を置いたテーブルをスライドさせる。そして、眼科用の検査装置を被検者の目の前に移動させ、被検者と医師などの検査者が眼科用の検査装置を挟んで向かい合わせになり診察や検査を行う。眼底カメラやスリットランプ等の装置を置くための水平移動載置台装置が特許文献１に記載されている。
【先行技術文献】
【特許文献】
【０００３】
【特許文献１】特開２００２−３４５７５１号公報
【発明の概要】
【発明が解決しようとする課題】
【０００４】
図５に従来の眼科医療用テーブル１００を示し、（Ａ）はテーブル１０６収納時の状態、（Ｂ）はテーブル１０６収納時におけるテーブル１０６内部の状態を示す。（Ｃ）はテーブル１０６をスライドさせた使用時の状態、（Ｄ）はテーブル１０６使用時におけるテーブル１０６内部の状態を示す。図６に従来の眼科医療用テーブル１００の側面図であり、テーブルの上に眼科用の検査装置１０８を載せている状態を示す。
【０００５】
図５、図６に示す従来の眼科医療用テーブル１００や特許文献１に記載された水平移動載置台装置では、蛇腹状のカバーで囲われて伸び縮みする柱状部材１０４に連結したテーブル１０６が、被検者１０２の目の位置に合わせて上下方向に移動すると共に水平方向にも移動する。これにより、テーブル１０６に置いた眼科用の検査装置１０８が上下方向に移動し、被検者１０２が椅子に座ったまま無理な姿勢ではない状態で診察や検査ができるようになる。
【０００６】
眼科用の検査装置１０８を置いたテーブル１０６の上面から被検者１０２の目までの高さは、最も低い高さで３８０ｍｍ〜３９０ｍｍになるように設定されている。テーブル１０６自体は水平方向にも移動できるよう、テーブル１０６の枠体内もしくはテーブルの下面側にレール１１０やラック１１２などが設けられていて、眼科用の検査装置１０８を置いたテーブル１０６がレール１１０に沿って移動できる。このため、テーブル１０６の厚さは、レール１１０やラック１１２がある分だけ厚くなり、６０ｍｍ〜７０ｍｍとなる。座高の高い成人などは、目の位置に合わせてテーブル１０６を上方向に移動させればよいので、大腿がテーブル１０６の下に当たることはない。しかし、被検者１０２が背中の曲がった高齢者や小児など座高の低い被検者１０２は目までの高さが低い。このため、これらの被検者１０２の目までの高さがテーブル１０６の厚さ分を加えた約４５０ｍｍより低い場合は、目の位置に合わせるためにテーブル１０６を下げてしまうと、大腿がテーブル１０６の下に当たり圧迫してしまうという課題がある。また、レール１１０やラック１１２があるためにテーブル自体を薄くすることは困難であると共に、レール１１０やラック１１２などの機構が露出している場合は、被検者１０２や検査者がレール１１０やラック１１２に触れてしまうことがある。
【０００７】
従来の眼科医療用テーブル１００では、水平方向にスライドするテーブル１０６にディスプレイが設けられていた場合は、ディスプレイの電源ケーブルやディスプレイと眼科用の検査装置１０８とを接続するケーブルなどはスライドする分だけ長くする必要があった。そして、長いケーブルはテーブル１０６が収納されていて使用されないときはたわんで傷めてしまうことがあり、テーブル１０６のスライドさせる際や眼科医療用テーブル付近を歩く際の障害にもなる。また、ディスプレイをテーブルに設けず、ディスプレイ用設置器具を床面に置いてディスプレイを設置している場合は、眼科用の検査装置が邪魔にならずに検査者や被検者が座ったままでも見られるようにディスプレイの位置を高くしている。しかしながら、テーブルを上昇させてしまうと、眼科用の検査装置もさらに上昇し、ディスプレイを見るための障害となり、見えなくなることがあった。
【０００８】
そこで本発明は上記課題を解決するためになされたもので、その目的とするところは、眼科用の検査装置を置いたテーブルの厚さを抑えることができ、座高の低い被検者が椅子に座りながら診察や検査をしても大腿がテーブルの下に当たりにくい眼科医療用テーブルを提供することにある。
【課題を解決するための手段】
【０００９】
上記の目的を達成するため、本発明の眼科医療用テーブルは次の構成を備える。すなわち本発明は、眼科用の検査装置が載置される第１のテーブルと、該第１のテーブルを水平方向にスライド可能にするスライド部材と、該スライド部材が設けられた第２のテーブルと、該第２のテーブルに連結され、該第２のテーブルを上下方向に移動可能にする昇降部材とを具備し、前記スライド部材は、ガイドレール、および該ガイドレールに嵌合して該ガイドレールに沿ってスライドする支持部材を含み、前記第１のテーブルの下面からガイドレールをなくし、被験者がガイドレールに触れてしまわないようにするために、前記ガイドレールを、前記第２のテーブルの下方に設け、前記支持部材は、前記ガイドレールの断面形状に合わせた形状であって前記ガイドレールに嵌合する嵌合部と、支持部とを有し、支持部は、前記嵌合部と接続し、断面がコの字形状もしくはＬ字形状であって、前記第２のテーブルの側面を渡り、前記第２のテーブルの上面よりも上方に突き出した形状であり、スライドして引き出された前記第１のテーブルの下方には、前記ガイドレールに嵌合している箇所を除いて、前記支持部材がなく、前記第１のテーブルと前記第２のテーブルとの間に隙間を有しながら前記第１のテーブルが前記支持部材により支持されていることを特徴とする。この構成によれば、眼科用の検査装置を載置してスライドさせる第１のテーブルには、スライド部材をなくすことができるため、テーブルの厚さを抑えることができ、被験者が座りながら診察や検査をしても大腿がテーブルの下に当たりにくくなる。
また、支持部材によって支持されている第１のテーブルが、第２のテーブルに設けられたガイドレールに沿ってスライドでき、第１のテーブルからガイドレールなどのスライドさせるための部材をなくすことができる。
また、第２のテーブルを上下で挟むようにして支持部材が設けられ、第１のテーブルの下方であり、被験者の大腿部が当たるような位置に、ガイドレールなどのスライド部材を設けなくても、第１のテーブルをスライドさせることができる。
【００１１】
また、本発明において、前記ガイドレールは、前記第２のテーブルの長手方向に平行な方向に設けられていてもよい。これによれば、第２のテーブルの長手方向に沿って、第１のテーブル移動させることができ、引き出したり収納したりできる。
【００１３】
また、本発明において、前記第１のテーブルは、スライドして引き出される側と反対側の端部において、前記スライド部材によって支持されていてもよい。これによれば、スライドして引き出された第１のテーブルの下方には、スライド部材により支持されている箇所を除いて、レールやラックなどをなくすことができ、被検者や検査者がレールやラックなどに触れてしまうことがない。
【００１４】
また、本発明において、前記第２のテーブルに、眼科用の検査装置から得られる情報もしくは映像が表示可能な表示装置が設置される表示装置用設置器具が設けられていてもよい。これによれば、スライドしない第２のテーブルにある表示装置用設置器具に、例えば表示装置としてディスプレイが設置された場合、ディスプレイはスライドしないので、スライドする分の長さの電源ケーブルは必要なくなる。
【００１５】
また、本発明において、前記スライド部材は、モータ駆動機構を有してもよい。これによれば、第２のテーブルにある支持部材を自動で動かすことができ、第１のテーブルをスライドさせることができる。
【発明の効果】
【００１６】
本発明に係る眼科医療用テーブルによれば、眼科用の検査装置を置いたテーブルの厚さを抑えることができ、座高の低い被検者が椅子に座りながら診察や検査をしても大腿がテーブルの下に当たりにくい眼科医療用テーブルを提供することができる。
【図面の簡単な説明】
【００１７】
【図１】本実施形態の眼科医療用テーブルにおいて、第１のテーブルが収納されている状態であり、（Ａ）は斜視図であり、（Ｂ）は第１のテーブルおよび第２のテーブルを拡大した拡大図であり、（Ｃ）は正面図である。
【図２】本実施形態の眼科医療用テーブルにおいて、第１のテーブルがスライドして使用するときの状態であり、（Ａ）は斜視図であり、（Ｂ）は第１のテーブルおよび第２のテーブルを拡大した拡大図、（Ｃ）は第１のテーブルおよび第２のテーブルの正面図である。
【図３】第２のテーブルに設けられたスライド部材の側面の断面図であり、スライド部材付近を拡大した図である。
【図４】カバーが取り外された状態の第１のテーブルの斜視図である。
【図５】従来の眼科医療用テーブルの斜視図であり、（Ａ）はテーブル収納時の状態、（Ｂ）はテーブル収納時におけるテーブル内部の状態を示す。（Ｃ）はテーブル使用時の状態、（Ｄ）はテーブル使用時におけるテーブル内部の状態を示す。
【図６】従来の眼科医療用テーブルの側面図であり、テーブルの上に眼科用の検査装置を載せている状態を示す。
【発明を実施するための形態】
【００１８】
以下、図面を参照して、本実施形態に係る眼科医療用テーブル１０を詳細に説明する。図１に本実施形態の眼科医療用テーブル１０を示し、第１のテーブル１２が収納されている状態である。図１（Ａ）は上方から見た斜視図、（Ｂ）は第１のテーブル１２および第１のテーブル１２の下方にある第２のテーブル１４を拡大した拡大図、（Ｃ）は第１のテーブル１２および第２のテーブル１４の正面図である。図２に本実施形態の眼科医療用テーブル１０を示し、第１のテーブル１２をスライドさせて使用しているときの状態である。図２（Ａ）は上方から見た斜視図、（Ｂ）は第１のテーブル１２および第２のテーブル１４を拡大した拡大図、（Ｃ）は第１のテーブル１２および第２のテーブル１４の正面図である。なお、図１、図２に示す第１のテーブル１２はカバーが取り付けられて第１のテーブル１２の上面１４ａが平面を有している状態である。また、図１（Ｂ）、図２（Ｂ）には第２のテーブル１４にあるスライド部材１６が示されている。図３は、本実施形態の眼科医療用テーブル１０の側方から見たときの断面図であり、支持部材２４を含むスライド部材１６付近を拡大した図である。図４は、第１のテーブル１２の一例であり、カバーが取り外された状態の第１のテーブル１２を上方から見たときの斜視図である。
【００１９】
本実施形態の眼科医療用テーブル１０は、第１のテーブル１２と、第２のテーブル１４とを具備し、第１のテーブル１２には眼科用の検査装置が載置され、第２のテーブル１４にはスライド部材１６が設けられている。さらに、本実施形態の眼科医療用テーブル１０は、昇降部材１８を具備し、第２のテーブル１４と昇降部材１８とが連結され、昇降部材１８により第２のテーブル１４は上下方向に移動可能になる。第１のテーブル１２は、第２のテーブル１４にあるスライド部材１６により支持されていて、スライド部材１６により第１のテーブル１２が水平方向にスライド可能になる。スライド部材１６は第１のテーブル１２だけをスライドさせるための部材であって、第２のテーブル１４は水平方向にはスライドしなく、上下方向のみに移動可能である。一方、第２のテーブル１４に支持された第１のテーブル１２は、上下方向にも移動可能である。このため、検査装置を被検者の前に水平移動させ、被検者の目の高さに合わせて検査装置の位置を上下移動させることができる。
【００２０】
スライド部材１６に支持されているだけである第１のテーブル１２は、第１のテーブル１２にスライド部材１６を設けなくても、第１のテーブル１２を水平方向に移動させることができる。このため、従来の眼科医療用テーブルよりも眼科用の検査装置が載置される第１のテーブル１２の厚さを、スライド部材１６を設けない分だけ薄くすることができる。第１のテーブル１２が薄くなる分だけ座高の低い被検者が椅子に座りながら診察や検査をしても、大腿が第１のテーブル１２の下に当たりにくくなる。また、第１のテーブル１２の下面１２ｂにスライド部材１６がないため、検査者や被検者が検査時にスライド部材１６に触れることがなく安全であり、スライド部材１６に付着した潤滑油にも触れなく、衣服や手を汚すことがない。なお、眼科用の検査装置を操作する人を、医師を含めて検査者と呼び、診察を含む検査される人を、患者を含めて被検者と呼ぶ。引き出された第１のテーブル１２の長方形状の長辺に対して向かい合うよう（長手方向に対して９０°の方向）に、検査者と被検者が座って検査をする。
【００２１】
第１のテーブル１２は平板状であり、平面視ではほぼ長方形状である。第１のテーブル１２の下方に第２のテーブル１４があり、第２のテーブル１４の下方に昇降部材１８がある。第２のテーブル１４は、昇降部材１８と第２のテーブル１４の下面１４ｂで直接連結されて支持されていてもよい。または、図１、図２に示すように、第２のテーブル１４は支柱２０を介して、昇降部材１８と第２のテーブル１４の下面１４ｂとが連結されて支持されていてもよい。図１、図２では昇降部材１８および４本の支柱２０は、剥き出しの状態である。しかし、昇降部材１８と支柱２０とを覆う筒状の支柱枠体（図示せず）が取り付けられてもよい。もしくは、第２のテーブル１４の上面１４ａを残し、スライド部材１６をスライドさせるための隙間を設け、第２のテーブル１４と昇降部材１８と支柱２０とを覆う上下移動可能なカバー（図示せず）が取り付けられていてもよい。これらの昇降部材１８やカバーの中には、第１のテーブル１２をスライドさせても眼科医療用テーブル１０全体のバランスが取れるよう、おもりがあってもよい。昇降部材１８は油圧シリンダ、エアシリンダ等を用いて上下方向に動くようにすればよい。
【００２２】
図１、図２、図３に第２のテーブル１４に設けられたスライド部材１６を示す。具体的に、スライド部材１６は、ガイドレール２２、およびガイドレール２２に嵌合し、ガイドレール２２に沿ってスライドする支持部材２４を含む。第１のテーブル１２は、支持部材２４に支持されている。以下、スライド部材１６が第２のテーブル１４の下方（下面１４ｂ）に設けられた場合について述べるが、スライド部材１６は第２のテーブル１４の上方（上面１４ａ）、側方（垂直面１４ｃ）に設けられてもよい。すなわち、ガイドレール２２は、第２のテーブル１４の上方（上面１４ａ）、側方（垂直面１４ｃ）に設けられてもよい。
【００２３】
図３より、スライド部材１６は、第２のテーブル１４の下方に設けられる部材であるガイドレール２２と、支持部材２４（後述の嵌合部２６）を含む。さらに、第２のテーブル１４の下面１４ｂに垂直な垂直面（側面）１４ｃと向かい合う位置にあり、第２のテーブル１４の上面１４ａよりも上方に突き出す位置にある部材である支持部材２４（後述の支持部２８）を含む。
【００２４】
ガイドレール２２は第２のテーブル１４の下面１４ｂに配設され、第１のテーブル１２をスライドさせるために必要な長さのガイドレール２２が配置される。ガイドレール２２の断面形状は特に限定されなく、図３に示すようにＨの字状でもよく、円柱状でもよい。また、図２には長手方向に沿ったガイドレール２２が、第２のテーブル１４の垂直面（側面）１４ｃに近い位置で２本配設されている。
【００２５】
支持部材２４は、嵌合部２６と支持部２８とを有する。嵌合部２６は、第２のテーブル１４の下面１４ｂに設けられたガイドレール２２の断面形状に合わせた形状であり、ガイドレール２２に嵌合する部分である。嵌合部２６は、ガイドレール２２に嵌合したままガイドレール２２に沿ってスライド可能である。支持部２８は、第１のテーブル１２を支持する部分であり、別体の嵌合部２６と連結、もしくは嵌合部２６と一体となっている。
【００２６】
支持部２８は、断面がコの字（Ｕの字も含む）形状もしくはＬ字形状の部材である。また、支持部２８は、嵌合部２６と接続している第２のテーブル１４の下面１４ｂ側にある部分と、第２のテーブル１４の垂直面（側面）１４ｃを渡って第２のテーブル１４の上面１４ａよりも上方に突き出した部分とを有する形状である。いわゆる、第２のテーブル１４の側面を抱え込むような形状である。支持部２８は、第１のテーブル１２の下面１２ｂと第２のテーブル１４の上面１４ａとの間に隙間ができるようにして、第１のテーブル１２を支持する。これにより、支持部材２４で支持されている第１のテーブル１２が、第２のテーブル１４に設けられたガイドレール２２に沿って滑らかにスライドできる。
【００２７】
第１のテーブル１２は、第１のテーブル１２がスライドして引き出される側とは反対側にある第１のテーブル１２の端部付近で支持部材２４に支持されている。支持される位置は、第１のテーブル１２の側面であってもよく、図３に示すように側面付近の第１のテーブルの１２下面１２ｂで支持されていてもよい。第１のテーブル１２は、被検者の前に十分に引き出すことができ、スライドして引き出された第１のテーブル１２の下面１２ｂには、ガイドレール２２やラック３６をなくすことができる。そして、第１のテーブル１２のうち、特に被検者や検査者の大腿に触れる可能性があり、支持部２８に支持されている箇所を除いて、第１のテーブル１２の下面１２ｂからガイドレール２２やラック３６などのスライド部材１６をなくすことができる。これにより、被検者や検査者がガイドレール２２やラック３６に触れてしまうことがなくなる。
【００２８】
図４に示す第１のテーブル１２の骨格部分の一例のように、第１のテーブル１２は従来と比較して厚さを抑えることができる。また、第１のテーブル１２には、検査装置の重さに耐えられるように補強部材を設けてよい。特に第１のテーブル１２の端部付近で支持部材２４に支持されている場合は、補強の強度を高めてもよい。補強部材の設ける位置は、第１のテーブル１２の下面１２ｂに限定されることなく、側面や上面に設けてもよい。他にも、第１のテーブル１２の骨格部分に対しても直接的に補強部材を設けてもよい。第１のテーブル１２補強部材の材質は限定されなく、金属などによって補強してもよい。
【００２９】
ガイドレール２２が第２のテーブル１４に、第２のテーブル１４の長手方向と平行な方向で水平に配設されれば、第１のテーブル１２は、第１のテーブル１２の長手方向に沿って水平移動する。図２に示す白抜きの矢印は、ガイドレール２２が第２のテーブル１４の長手方向と平行な方向で配設されたときの、第１のテーブル１２のスライド方向であり、ｃ方向に引き出され、ｄ方向に収められる。
【００３０】
また、第２のテーブル１４の長手方向に、第２のテーブル１４の長さに合わせて最大限の長さのガイドレール２２を配設すれば、第１のテーブル１２にスライド部材１６を設けなくてもガイドレール２２の長さの分だけ第１のテーブル１２を水平方向に移動できる。そして、第１のテーブル１２を被検者の前に十分に引き出すことができ、被検者が座りながら検査できる。また、使用しないときは第２のテーブル１４の上方に第１のテーブル１２を移動して収納することができる。本実施形態の第１のテーブル１２の長手方向の長さは８１０ｍｍ、第２のテーブル１４の長手方向の長さは、７４５ｍｍであり、第１のテーブル１２を５００ｍｍスライドさせることができる。また、第１のテーブル１２の厚さは３０ｍｍ程度にまで薄くすることができる。本実施形態の第１のテーブル１２の長手方向の長さと第２のテーブル１４の長手方向の長さは上記の長さに限定されないが、ほぼ同じような長さとなる。使用しないときは第１のテーブル１２、第２のテーブル１４のどちらか一方のテーブルが過度に突出せずに邪魔にならない。そして、第１のテーブル１２の長手方向の長さと第２のテーブル１４の長手方向の長さとの比が０．８〜１．２の範囲にあることが好ましい。
【００３１】
被検者の前に十分にスライドさせるためには、第１のテーブル１２および第２のテーブル１４の長手方向を長くすることが挙げられるが、眼科医療用テーブル１０全体が大きくなり、省スペース化ができない。また、第２のテーブル１４を長くすることができなくて短い場合は、第１のテーブル１２が十分にスライドさせることができない。十分にスライドさせるためには、第１のテーブル１２の方にもガイドレール２２などのスライド部材１６を設けなくてはならなくなり、第１のテーブル１２を薄くすることができない。また、第１のテーブル１２の長手方向が短いときは、第１のテーブル１２を被検者の前に十分にスライドさせることができない。
【００３２】
また、本実施形態では、第２のテーブル１４に、眼科用の検査装置から得られる情報もしくは映像が表示可能な表示装置３０が設置される表示装置用設置器具３２が設けられている。もしくは、表示装置３０のケーブルを通す穴（図示せず）が第２のテーブル１４に設けられ、表示装置３０が設置されていてもよい。本実施形態の眼科医療用テーブル１０では、表示装置用設置器具３２が上下方向に昇降だけする第２のテーブル１４に設置されているので、上下方向に動かす分だけケーブルに余裕を持たせればよいので、ケーブルが長すぎることはなく、大きな障害とならない。また、表示装置がスライドしないので、検査結果の画像や数値のデータを表示装置に表示して、検査結果を椅子に座りながら見ることができる。表示装置用設置器具３２としては、図１に示す棒状の器具であってもよい。また、第１のテーブル１２を収納したときに、表示装置用設置器具３２が第１のテーブル１２に当たらないよう、第１のテーブル１２に切欠を設けてもよい。
【００３３】
また、本実施形態の眼科医療用テーブル１０では、スライド部材１６は、モータ駆動機構３４を有していてもよい。例えば、ラックアンドピニオン方式により、無端ベルト状に形成されたラック３６が長手方向に設けられ、ラック３６は嵌合部２６もしくは支持部２８と接合している。無端ベルト状のラック３６の直線部分の長さは、ガイドレール２２の長さとほぼ同じ長さであり、一方にピニオン３８、他方に滑車４０がある。モータ駆動機構３４によりピニオン３８が回転することにより、ベルト状のラック３６が回転し、これに合わせて、ガイドレール２２上を支持部材２４がスライドし、第１のテーブル１２をスライドさせることができる。これにより、第２のテーブル１４にある支持部材２４を自動でスライドさせて、第１のテーブル１２を所望の位置にスライドさせることができる。また、手動で第１のテーブル１２をスライドさせてもよい。
【００３４】
第２のテーブル１４の昇降や第１のテーブル１２のスライドは、手動もしくは操作ボタンを押して操作することができる。操作ボタンは、リモコンや第１のテーブル１２に設けられた操作パネルから行う。また、第２のテーブル１４という名称ではあるが、第２のテーブル１４は第１のテーブル１２がスライドして収納されるので、第２のテーブル１４の上面１４ａには物が置けないよう、第２のテーブル１４の上面１４ａは、平面形状でなくてもよい。一例として、第２のテーブル１４を長手方向に沿って見たときの断面が三角の山型になるようにスロープを設けてもよい。
【符号の説明】
【００３５】
１０  眼科医療用テーブル
１２  第１のテーブル
１２ｂ  下面
１４  第２のテーブル
１４ａ  上面
１４ｂ  下面
１４ｃ  垂直面
１６  スライド部材
１８  昇降部材
２０  支柱
２２  ガイドレール
２４  支持部材
２６  嵌合部
２８  支持部
３０  表示装置
３２  表示装置用設置器具
３４  モータ駆動機構
３６  ラック
３８  ピニオン
４０  滑車
１００  従来の眼科医療用テーブル
１０２  被検者
１０４  柱状部材
１０６  テーブル
１０８  眼科用の検査装置
１１０  レール
１１２  ラック
【図１】
0006734662.tif 000002
【図２】
0006734662.tif 000003
【図３】
0006734662.tif 000004
【図４】
0006734662.tif 000005
【図５】
0006734662.tif 000006
【図６】
0006734662.tif 000007